(57)【特許請求の範囲】
【請求項１】
車体（Ｆ）に搭載され内部空間が荷室（Ｃ）となる物品収納箱（Ｂ）の外側面を空隙（Ｓ）を存してボディパネル（Ｒ）で覆い、レンズ体（３）背面にランプ（４）が剥き出しで組み込まれた照明ユニット（Ｕ）を前記物品収納箱（Ｂ）の周壁の貫通孔（２）に装着して、該ユニット（Ｕ）のレンズ体（３）表面を前記荷室（Ｃ）に直接臨ませると共に該ユニット（Ｕ）の前記ランプ（４）を前記空隙（Ｓ）内に直接臨ませ、前記ランプ（４）の光が前記空隙（Ｓ）を通して外部に漏れ出るのを防止するための遮光手段を、前記物品収納箱（Ｂ）外側面とボディパネル（Ｒ）内側面との間に設けてなる自動二輪車における荷室照明装置であって、
前記遮光手段は、前記物品収納箱（Ｂ）の外側面に一体に突設されて前記ランプ（４）を全周に亘り取り囲む囲い壁（Ｗ）と、前記ボディパネル（Ｒ）の内側面に固定されて前記囲い壁（Ｗ）の先端部を食い込ませるスポンジ材（１）又は弾性材とで構成されることを特徴とする、自動二輪車における荷室照明装置。
【請求項２】
車体（Ｆ）に搭載され内部空間が荷室（Ｃ）となる物品収納箱（Ｂ）の外側面を空隙（Ｓ）を存してボディパネル（Ｒ）で覆い、レンズ体（３）背面にランプ（４）が剥き出しで組み込まれた照明ユニット（Ｕ）を前記物品収納箱（Ｂ）の周壁の貫通孔（２）に装着して、該ユニット（Ｕ）のレンズ体（３）表面を前記荷室（Ｃ）に直接臨ませると共に該ユニット（Ｕ）の前記ランプ（４）を前記空隙（Ｓ）内に直接臨ませ、前記ランプ（４）の光が前記空隙（Ｓ）を通して外部に漏れ出るのを防止するための遮光手段を、前記物品収納箱（Ｂ）外側面とボディパネル（Ｒ）内側面との間に設けてなる自動二輪車における荷室照明装置であって、
前記遮光手段は、前記物品収納箱（Ｂ）の外側面に一体に突設されて前記ランプ（４）を全周に亘り取り囲み且つ先端部が前記ボディパネル（Ｒ）の内側面に直接衝合する囲い壁（Ｗ）により構成されることを特徴とする、自動二輪車における荷室照明装置。
【請求項３】
車体（Ｆ）に搭載され内部空間が荷室（Ｃ）となる物品収納箱（Ｂ）の外側面を空隙（Ｓ）を存してボディパネル（Ｒ）で覆い、レンズ体（３）背面にランプ（４）が剥き出しで組み込まれた照明ユニット（Ｕ）を前記物品収納箱（Ｂ）の周壁の貫通孔（２）に装着して、該ユニット（Ｕ）のレンズ体（３）表面を前記荷室（Ｃ）に直接臨ませると共に該ユニット（Ｕ）の前記ランプ（４）を前記空隙（Ｓ）内に直接臨ませ、前記ランプ（４）の光が前記空隙（Ｓ）を通して外部に漏れ出るのを防止するための遮光手段を、前記物品収納箱（Ｂ）外側面とボディパネル（Ｒ）内側面との間に設けてなる自動二輪車における荷室照明装置であって、
前記遮光手段は、前記ボディパネル（Ｒ）の内側面に一体に突設されて前記ランプ（４）を全周に亘り取り囲む囲い壁（Ｗ′）と、前記照明ユニット（Ｕ）を取り囲むように前記物品収納箱（Ｂ）の外側面に固定されて前記囲い壁（Ｗ′）の先端部を食い込ませるスポンジ材（１′）又は弾性材とで構成されることを特徴とする、自動二輪車における荷室照明装置。
【請求項４】
車体（Ｆ）に搭載され内部空間が荷室（Ｃ）となる物品収納箱（Ｂ）の外側面を空隙（Ｓ）を存してボディパネル（Ｒ）で覆い、レンズ体（３）背面にランプ（４）が剥き出しで組み込まれた照明ユニット（Ｕ）を前記物品収納箱（Ｂ）の周壁の貫通孔（２）に装着して、該ユニット（Ｕ）のレンズ体（３）表面を前記荷室（Ｃ）に直接臨ませると共に該ユニット（Ｕ）の前記ランプ（４）を前記空隙（Ｓ）内に直接臨ませ、前記ランプ（４）の光が前記空隙（Ｓ）を通して外部に漏れ出るのを防止するための遮光手段を、前記物品収納箱（Ｂ）外側面とボディパネル（Ｒ）内側面との間に設けてなる自動二輪車における荷室照明装置であって、
前記遮光手段は、前記ボディパネル（Ｒ）の内側面に一体に突設されて前記ランプ（４）を全周に亘り取り囲み且つ先端部が前記照明ユニット（Ｕ）の周囲で前記物品収納箱（Ｂ）の外側面に直接衝合する囲い壁（Ｗ′）により構成されることを特徴とする、自動二輪車における荷室照明装置。
【請求項５】
車体（Ｆ）に搭載され内部空間が荷室（Ｃ）となる物品収納箱（Ｂ）の外側面を空隙（Ｓ）を存してボディパネル（Ｒ）で覆い、レンズ体（３）背面にランプ（４）が剥き出しで組み込まれた照明ユニット（Ｕ）を前記物品収納箱（Ｂ）の周壁の貫通孔（２）に装着して、該ユニット（Ｕ）のレンズ体（３）表面を前記荷室（Ｃ）に直接臨ませると共に該ユニット（Ｕ）の前記ランプ（４）を前記空隙（Ｓ）内に直接臨ませ、前記ランプ（４）の光が前記空隙（Ｓ）を通して外部に漏れ出るのを防止するための遮光手段を、前記物品収納箱（Ｂ）外側面とボディパネル（Ｒ）内側面との間に設けてなる自動二輪車における荷室照明装置であって、
前記遮光手段は、前記ボディパネル（Ｒ）の内側面と前記物品収納箱（Ｂ）の外側面との間に挟まれて前記ランプ（４）を全周に亘り取り囲む、スポンジ材又は弾性材よりなる囲い壁（Ｗ″）により構成されることを特徴とする、自動二輪車における荷室照明装置。
【請求項６】
前記照明ユニット（Ｕ）は、前記ランプ（４）を消点灯するスイッチ部（６）を含み、そのスイッチ部（６）は前記レンズ体（３）に、該スイッチ部（６）の操作ノブ（６ｎ）がレンズ体（３）表面に露出するように組み込まれていることを特徴とする、請求項１〜５の何れか１項に記載の自動二輪車における荷室照明装置。
【請求項７】
前記自動二輪車は、シート（Ｓｅ）直下に前記物品収納箱（Ｂ）を配備したスクーター（Ｖ）であり、前記照明ユニット（Ｕ）は、前記物品収納箱（Ｂ）の右側壁に形成した前記貫通孔（２）に装着されることを特徴とする、請求項１〜６の何れか１項に記載の自動二輪車における荷室照明装置。
【請求項８】
前記物品収納箱（Ｂ）は、相互間が結合される複数の箱要素（Ｂｕ、Ｂｄ）より分割構成され、その１つの箱要素（Ｂｕ）に前記照明ユニット（Ｕ）が装着されることを特徴とする、請求項１〜７の何れか１項に記載の自動二輪車における荷室照明装置。
【発明の詳細な説明】
【０００１】
【発明の属する技術分野】
本発明は、車体に搭載され内部空間が荷室となる物品収納箱の外側面が空隙を存してボディパネルで覆われる自動二輪車における荷室照明装置に関する。
【０００２】
【従来の技術】
上記自動二輪車の荷室内を照明するための照明器具を物品収納箱に装着したものは、例えば特開平１０−１９４１７７号公報に記載されるように従来公知である。
【０００３】
【発明が解決しようとする課題】
上記従来構造では、照明器具のレンズ体と、ランプを収納保持するランプケースとが別々に構成されており、それだけコストが嵩む要因となっており、またランプケースにスイッチを付設した場合にはそれだけ照明器具が大型化する要因となってしまう。
【０００４】
そこでレンズ体にランプやスイッチを直接組み込み上記ランプケースを省略することが考えられるが、その場合には、ランプケースの省略に伴いレンズ体背面側の光がボディパネルと物品収納箱との間の空隙を通して外部に漏れ出る恐れがあり、またランプに対する防水上も好ましいことではない。
【０００５】
本発明は、上記の事情に鑑み提案されたもので、従来の上記問題を簡単な構造で解決できる、自動二輪車における荷室照明装置を提供することを目的としている。
【０００６】
【課題を解決するための手段】
前記目的を達成するために、請求項１の発明は、車体に搭載され内部空間が荷室となる物品収納箱の外側面を空隙を存してボディパネルで覆い、レンズ体背面にランプが剥き出しで組み込まれた照明ユニットを前記物品収納箱の周壁の貫通孔に装着して、該ユニットのレンズ体表面を前記荷室に直接臨ませると共に該ユニットの前記ランプを前記空隙内に直接臨ませ、前記ランプの光が前記空隙を通して外部に漏れ出るのを防止するための遮光手段を、前記物品収納箱外側面とボディパネル内側面との間に設けてなる自動二輪車における荷室照明装置であって、前記遮光手段は、前記物品収納箱の外側面に一体に突設されて前記ランプを全周に亘り取り囲む囲い壁と、前記ボディパネルの内側面に固定されて前記囲い壁の先端部を食い込ませるスポンジ材又は弾性材とで構成されることを特徴とし、また請求項２の発明は、車体に搭載され内部空間が荷室となる物品収納箱の外側面を空隙を存してボディパネルで覆い、レンズ体背面にランプが剥き出しで組み込まれた照明ユニットを前記物品収納箱の周壁の貫通孔に装着して、該ユニットのレンズ体表面を前記荷室に直接臨ませると共に該ユニットの前記ランプを前記空隙内に直接臨ませ、前記ランプの光が前記空隙を通して外部に漏れ出るのを防止するための遮光手段を、前記物品収納箱外側面とボディパネル内側面との間に設けてなる自動二輪車における荷室照明装置であって、前記遮光手段は、前記物品収納箱の外側面に一体に突設されて前記ランプを全周に亘り取り囲み且つ先端部が前記ボディパネルの内側面に直接衝合する囲い壁により構成されることを特徴とする。
【０００７】
また請求項３の発明は、車体に搭載され内部空間が荷室となる物品収納箱の外側面を空隙を存してボディパネルで覆い、レンズ体背面にランプが剥き出しで組み込まれた照明ユニットを前記物品収納箱の周壁の貫通孔に装着して、該ユニットのレンズ体表面を前記荷室に直接臨ませると共に該ユニットの前記ランプを前記空隙内に直接臨ませ、前記ランプの光が前記空隙を通して外部に漏れ出るのを防止するための遮光手段を、前記物品収納箱外側面とボディパネル内側面との間に設けてなる自動二輪車における荷室照明装置であって、前記遮光手段は、前記ボディパネルの内側面に一体に突設されて前記ランプを全周に亘り取り囲む囲い壁と、前記照明ユニットを取り囲むように前記物品収納箱の外側面に固定されて前記囲い壁の先端部を食い込ませるスポンジ材又は弾性材とで構成されることを特徴とし、また請求項４の発明は、車体に搭載され内部空間が荷室となる物品収納箱の外側面を空隙を存してボディパネルで覆い、レンズ体背面にランプが剥き出しで組み込まれた照明ユニットを前記物品収納箱の周壁の貫通孔に装着して、該ユニットのレンズ体表面を前記荷室に直接臨ませると共に該ユニットの前記ランプを前記空隙内に直接臨ませ、前記ランプの光が前記空隙を通して外部に漏れ出るのを防止するための遮光手段を、前記物品収納箱外側面とボディパネル内側面との間に設けてなる自動二輪車における荷室照明装置であって、前記遮光手段は、前記ボディパネルの内側面に一体に突設されて前記ランプを全周に亘り取り囲み且つ先端部が前記照明ユニットの周囲で前記物品収納箱の外側面に直接衝合する囲い壁により構成されることを特徴とする。
【０００８】
また請求項５の発明は、車体に搭載され内部空間が荷室となる物品収納箱の外側面を空隙を存してボディパネルで覆い、レンズ体背面にランプが剥き出しで組み込まれた照明ユニットを前記物品収納箱の周壁の貫通孔に装着して、該ユニットのレンズ体表面を前記荷室に直接臨ませると共に該ユニットの前記ランプを前記空隙内に直接臨ませ、前記ランプの光が前記空隙を通して外部に漏れ出るのを防止するための遮光手段を、前記物品収納箱外側面とボディパネル内側面との間に設けてなる自動二輪車における荷室照明装置であって、前記遮光手段は、前記ボディパネルの内側面と前記物品収納箱の外側面との間に挟まれて前記ランプを全周に亘り取り囲む、スポンジ材又は弾性材よりなる囲い壁により構成されることを特徴とする。
【０００９】
請求項１〜５の上記各特徴によれば、レンズ体にランプが直接組み付けられてランプケースが省略可能となるため、それだけ部品点数が減りコストが節減される。またこのようにランプケースが省略されても、レンズ体背面に剥き出しとなったランプの光は上記遮光手段により遮断されるから、その光が物品収納箱とボディパネルとの間の空隙を通して外部に漏れ出ることが阻止され、また該遮光手段を防水手段として機能させるようにすればランプを効果的に防水することができる。
【００１０】
また特に請求項１の発明の上記特徴によれば、遮光手段の一部を構成する上記囲い壁が物品収納箱と一体化されるため、部品点数の低減が図られる。
【００１１】
また特に請求項２の発明の上記特徴によれば、遮光手段の全部を構成する上記囲い壁が物品収納箱と一体化されるため、部品点数の低減が図られる。
【００１２】
また特に請求項３の発明の上記特徴によれば、遮光手段の一部を構成する上記囲い壁がボディパネルと一体化されるため、部品点数の低減が図られる。
【００１３】
また特に請求項４の発明の上記特徴によれば、遮光手段の全部を構成する上記囲い壁がボディパネルと一体化されるため、部品点数の低減が図られる。
【００１４】
また請求項６の発明は、請求項１〜５の何れかの発明の前記特徴に加えて、前記照明ユニットは、前記ランプを消点灯するスイッチ部を含み、そのスイッチ部は前記レンズ体に、該スイッチ部の操作ノブがレンズ体表面に露出するように組み込まれていることを特徴とし、この特徴によれば、照明ユニットが大型化するのを回避しつつ同ユニットに操作ノブ付きスイッチを組み込むことが可能となる。
【００１５】
また請求項７の発明は、請求項１〜６の何れかの発明の前記特徴に加えて、前記自動二輪車は、シート直下に前記物品収納箱を配備したスクーターであり、前記照明ユニットは、前記物品収納箱の右側壁に形成した前記貫通孔に装着されることを特徴とし、この特徴によれば、停車時にドライバーが車両の左側に立ち、シートを開いて物品収納箱内の荷物を出し入れする際に、荷室が見易くなり、スイッチ操作もし易くなる。
【００１６】
また請求項８の発明は、請求項１〜７の何れかの発明の前記特徴に加えて、前記物品収納箱は、相互間が結合される複数の箱要素より分割構成され、その１つの箱要素に前記照明ユニットが装着されることを特徴とすることを特徴とし、この特徴によれば、比較的小型となる１つの箱要素に照明ユニットを予め組み付けることができるため、その組み付け作業が容易になる。
【００１７】
【発明の実施の形態】
本発明の実施の形態を、添付図面に例示した本発明の実施例に基づいて以下に具体的に説明する。
【００１８】
添付図面において、図１〜図６は本発明の第１実施例を示すものであって、図１は、自動二輪車の全体側面図、図２は自動二輪車の全体斜視図、図３は図１の３−３線拡大断面図、図４は図３の４矢視部拡大図、図５は、照明ユニットを荷室側から見た一部破断正面図（図４の５矢視拡大図）、図６は、図５の６−６線断面図である。また図７は、本発明の第２実施例を示す図４対応図、図８は本発明の第３実施例を示す図４対応図である。
【００１９】
先ず、第１実施例について説明すると、自動二輪車としての低床式スクーターＶの後部車体Ｆは、ボディパネルとしてのリヤカウルＲで覆われており、そのリヤカウルＲの頂部には、シートＳｅが配設される。このシートＳｅは、左右一方向（図示例では右側）へ傾動できるように後部車体Ｆに取付部材（図示せず）を介してヒンジ連結される。
【００２０】
このシートＳｅの直下には、上面開口部が該シートＳｅの前記傾動で開閉される大型の物品収納箱Ｂが配設されており、この収納箱Ｂの内部空間が荷室Ｃとされる。この物品収納箱Ｂの外側面は、前記リヤカウルＲに近接配置されていて、該リヤカウルＲにより空隙Ｓを存して体裁よく覆われる。前記リヤカウルＲの内面には、そのほぼ全面に亘り内装材としてのスポンジ材１が被着される。
【００２１】
前記物品収納箱Ｂは、複数の箱要素としての上部半体Ｂｕ及び下部半体Ｂｄより分割構成されており、その両半体Ｂｕ、Ｂｄ間は、ボルト或いは接着等により結合される。その上部半体Ｂｕの右側壁には、照明ユニット取付用の貫通孔２がほぼ方形状に形成されており、この貫通孔２に、レンズ体３背面にランプ４が剥き出しの状態で組み込まれた照明ユニットＵが着脱可能に嵌着される。
【００２２】
この照明ユニットＵは、前記上部半体Ｂｕの貫通孔２に荷室Ｃ側より嵌装されて該貫通孔２を塞ぐ透光材料製のレンズ体３と、このレンズ体３の背面側に固定される導電材料製のソケット部５と、このソケット部５に保持されるランプ４と、レンズ体３の背面側に固定されソケット部５に接続されるスイッチ部６とを備える。前記レンズ体３の背面には、前記貫通孔２に嵌合させる取付筒部３ａが一体に突設されており、この取付筒部３ａの外周面には、貫通孔２の開口縁に係合し得る複数の係止突起３ａｓが該孔２の周方向に互いに間隔をおいて一体に形成される。従って、前記取付筒部３ａを貫通孔２に嵌入させてレンズ体３を表面側から押し込むことにより、各係止突起３ａｓを貫通孔２の開口縁に係止させてレンズ体３を上部半体Ｂｕに結合することができる。
【００２３】
前記スイッチ部６の操作ノブ６ｎは、レンズ体３に揺動可能にピン連結されると共に同レンズ体３の小穴３ｈを通してレンズ体３の表面側に突出しており、荷室Ｃ側より直接開閉操作できるようになっている。この操作ノブ６ｎの開閉操作によれば、該ノブ６ｎの内端に係合して連動する前記スイッチ部６の可動接点６ｓａが、固定接点６ｓｂに対し選択的に離間・接触してランプ４への通電を断・接する。
【００２４】
前記照明ユニットＵのレンズ体３背面側にそれぞれ配設されている前記スイッチ部６の大部分、ならびにソケット部５及びランプ４の全部は、リヤカウルＲと物品収納箱Ｂとの間の空隙Ｓに入り込んでいる。従って、デッドスペースである該空隙Ｓを照明ユニットＵの取付スペースとして有効に活用できる。
【００２５】
物品収納箱Ｂの外側面には、これと対面するリヤパネルＲの内側面に向かって延びる囲い壁Ｗが一体に突設されており、この囲い壁Ｗ及び後述するスポンジ材１又は弾性材は、本発明（請求項１）の遮光手段を構成するものであって、前記空隙Ｓに臨む照明ユニットＵの、レンズ体３背面側の全部品を全周に亘り取り囲むように四角枠状に形成される。その囲い壁Ｗの先端部は、リヤパネルＲの傾斜した内面形状に対応して斜めにカットされた形態となっていて、リヤパネルＲ内側に貼り付けたスポンジ材１に食い込ませており、これにより、該囲い壁Ｗの遮光性を高めている。尚、上記スポンジ材１に代えて、他の弾性材（例えばゴム材等）をリヤパネルＲの内側に貼り付けるようにしてもよい。また、このようなスポンジ材や他の弾性材を省略して、前記囲い壁Ｗの先端部をリヤパネルＲの内側面に直接衝合させるようにしてもよく、この場合は、該囲い壁Ｗが本発明（請求項２）の遮光手段を構成する。
【００２６】
前記囲い壁Ｗの前後一側には、電源に連なるリード線７を通すための小穴Ｗａが形成され、そのリード線７の端末は、カプラ８を介して前記ソケット部５及びスイッチ部６に接続される。尚、図示例では、前記小穴Ｗａとリード線７との間に小間隙が設けられているが、この小間隙を適宜部材で詰めて囲い壁Ｗの遮光性を高めるようにしてもよい。
【００２７】
次に前記第１実施例の作用を説明する。荷室Ｃ内を照らす照明ユニットＵは、レンズ体３をベースとしており、これにスイッチ部６、ソケット部５及びランプ４が予め一纏めに組付けられて組立ユニットが構成される。そして、この照明ユニットＵが単体状態の上部半体Ｂｕの貫通孔２に装着され、次いでその上部半体Ｂｕと下部半体Ｂｄとが一体的に結合されて物品収納箱Ｂが組み立てられる。その物品収納箱Ｂは、リヤパネルＲ内の所定位置にセットされて後部車体Ｆに固定される。
【００２８】
而して上記照明ユニットＵにおいては、レンズ体３にランプ４等が直接組み付けられたことで、ランプケースが省略可能となるため、それだけ部品点数が減りコストが節減される。またランプケースの省略に伴い照明ユニットＵの背面側でランプ４が剥き出しとなっても、そのランプ４の光は囲い壁Ｗにより遮断されるから、その光が物品収納箱ＢとリヤパネルＲとの間の空隙Ｓを通して外部に漏れ出ることが阻止され、しかもその囲い壁Ｗを防水壁として利用できるため、ランプ４に対して効果的な防水がなされ、防水構造も簡素化される。
【００２９】
また、ランプ４を消点灯するスイッチ部６はレンズ体３に、該スイッチ部６の操作ノブ６ｎがレンズ体３の表面に露出するように組み込まれている。このため、照明ユニットＵの大型化を回避しながら、該ユニットＵに操作ノブ６ｎ付きのスイッチ部６を無理なく組込むことが可能となる。
【００３０】
さらに、上記照明ユニットＵは、図示例では物品収納箱Ｂの右側壁に形成した貫通孔２に装着されるため、停車時にスクータＶの左側に立つドライバーがシートＳｅを開いて物品収納箱Ｂ内の荷物を出し入れする際に、荷室Ｃが見易くなり、スイッチ操作もし易くなる。
【００３１】
さらにまた、物品収納箱Ｂは、図示例では複数の箱要素（上、下部半体Ｂｕ、Ｂｄ）より分割構成され、その分割により比較的小型となるその１つの箱要素（上部半体Ｂｕ）に照明ユニットＵが装着されるため、その組み付け作業が容易になる。
【００３２】
次に図７を参照して本発明の第２実施例を説明する。この実施例は、遮光手段としての囲い壁及びスポンジ又は弾性材の構成だけが前実施例と相違するので、この相違部分の構造だけを説明する。
【００３３】
即ち、この第２実施例では、照明ユニットＵに対応してリヤパネルＲの内側面に、物品収納箱Ｂの外側面に向かって延びる囲い壁Ｗ′が一体に突設され、この囲い壁Ｗ′は照明ユニットＵの背面側を取り囲むように四角枠状に形成される。その囲い壁Ｗの先端部は、物品収納箱Ｂの外側面に照明ユニットＵを取り囲むように貼り付けた発泡ウレタン等のスポンジ材１′に食い込ませており、これにより、該囲い壁Ｗ′の遮光性を高めている。尚、上記スポンジ材１′に代えて、他の弾性材（例えばゴム材等）を物品収納箱Ｂの外側面に貼り付けるようにしてもよい。また、このようなスポンジ材や他の弾性材を省略して、前記囲い壁Ｗ′の先端部を物品収納箱Ｂの外側面に直接衝合させるようにしてもよく、この場合は、該囲い壁Ｗが本発明（請求項４）の遮光手段を構成する。
【００３４】
次に図８を参照して本発明の第３実施例を説明する。この実施例は、遮光手段としての囲い壁の構成だけが前実施例と相違するので、この相違部分の構造だけを説明する。即ち、この第３実施例の囲い壁Ｗ″は、スポンジ材、ゴム材等の弾性材よりリヤパネルＲ及び物品収納箱Ｂとは別個独立に構成されるものであって、照明ユニットＵの背面側を取り囲むように四角枠状に形成される。その囲い壁Ｗ″は、物品収納箱Ｂの外側面とリヤパネルＲの内側面との間に弾力的に挟持されるか、或いは、その何れか一方の面に貼り付けられる。
【００３５】
而して上記第２、第３実施例でも、第１実施例と同様の作用効果が得られる。すなわち、照明ユニットＵ背面側からの光は囲い壁Ｗ′，Ｗ″により遮断されるから、その光が物品収納箱ＢとリヤパネルＲとの間の空隙Ｓを通して外部に漏れ出ることが阻止され、しかもその囲い壁Ｗ′，Ｗ″を防水壁として利用できてランプ４に対して効果的な防水がなされる。
【００３６】
以上、本発明の実施例を詳述したが、本発明は前記実施例に限定されるものでなく、種々の設計変更を行うことができる。例えば、前記実施例では、物品収納箱Ｂを複数の箱要素（上、下部半体Ｂｕ、Ｂｄ）より分割構成したものを示したが、本発明では、物品収納箱Ｂを継ぎ目の無い一体物で構成してもよい。さらに、前記実施例では、上部半体Ｂｕにその単体状態で照明ユニットＵを組み付けてから下部半体Ｂｄを結合（即ち物品収納箱Ｂを組立）するようにしたが、本発明では、上、下部半体Ｂｕ、Ｂｄを結合した後で照明ユニットＵを組み付けるようにしてもよい。
【００３７】
【発明の効果】
以上のように本発明によれば、レンズ体にランプが直接組込まれてランプケースを省略できるようになり、それだけ部品点数が減りコスト節減が図られる。またこのようにランプケースが省略されても、レンズ体背面に剥き出しとなるランプからの光は上記遮光手段により遮断されるから、その光が物品収納箱とボディパネルとの間の空隙を通して外部に漏れ出ることが阻止され、その上、この遮光手段をランプに対する防水手段に兼用することでランプを効果的に防水可能となる。
【００３８】
また特に請求項１の発明によれば、遮光手段の一部を構成する上記囲い壁が物品収納箱と一体化されるため、部品点数の低減が図られてコストの節減及び組立作業性の向上に寄与することができる。
【００３９】
また特に請求項２の発明によれば、遮光手段の全部を構成する上記囲い壁が物品収納箱と一体化されるため、部品点数の低減が図られてコストの節減及び組立作業性の向上に寄与することができる。
【００４０】
また特に請求項３の発明によれば、遮光手段の一部を構成する上記囲い壁がボディパネルと一体化されるため、部品点数の低減が図られてコストの節減及び組立作業性の向上に寄与することができる。
【００４１】
また特に請求項４の発明によれば、遮光手段の全部を構成する上記囲い壁がボディパネルと一体化されるため、部品点数の低減が図られてコストの節減及び組立作業性の向上に寄与することができる。
【００４２】
また特に請求項６の発明によれば、照明ユニットのスイッチ部が前記レンズ体に、該スイッチ部の操作ノブがレンズ体表面に露出するように組み込まれるので、照明ユニットが大型化するのを回避しつつ同ユニットに操作ノブ付きスイッチを組み込むことが可能となる。
【００４３】
また特に請求項７の発明によれば、自動二輪車は、シート直下に物品収納箱を配備したスクーターであり、照明ユニットは、物品収納箱の右側壁に形成した貫通孔に装着されるので、停車時にシートを開いて物品収納箱内の荷物を出し入れする際に、荷室が見易く、スイッチ操作もし易くなり、使い勝手が頗る良好となる。
【００４４】
また特に請求項８の発明によれば、物品収納箱は、相互間が結合される複数の箱要素より分割構成され、その１つの箱要素に照明ユニットが装着されるので、比較的小型となる１つの箱要素に照明ユニットを予め組み付け可能となり、全体として組立作業性が良好である。
【図面の簡単な説明】
【図１】  第１実施例に係る自動二輪車の全体側面図
【図２】  前記自動二輪車の全体斜視図
【図３】  図１の３−３線拡大断面図
【図４】  図３の４矢視部拡大図
【図５】  照明ユニットを荷室側から見た一部破断正面図（図４の５矢視拡大図）
【図６】  図５の６−６線断面図
【図７】  第２実施例を示す図４対応図
【図８】  第３実施例を示す図４対応図
【符号の説明】
Ｂ    物品収納箱
Ｂｕ  上部半体（箱要素）
Ｂｄ  下部半体（箱要素）
Ｃ    荷室
Ｆ    後部車体（車体）
Ｒ    リヤパネル（ボディパネル）
Ｓ    空隙
Ｓｅ  シート
Ｕ    照明ユニット
Ｗ    囲い壁（遮光手段）
Ｗ′  囲い壁（遮光手段）
Ｗ″  囲い壁（遮光手段）
Ｖ    スクータ（自動二輪車）
１，１′ スポンジ材
２    貫通孔
３    レンズ体
４    ランプ
６    スイッチ部
６ｎ  操作ノブ
【図１】
0004145545.tif 000002
【図２】
0004145545.tif 000003
【図３】
0004145545.tif 000004
【図４】
0004145545.tif 000005
【図５】
0004145545.tif 000006
【図６】
0004145545.tif 000007
【図７】
0004145545.tif 000008
【図８】
0004145545.tif 000009